(57)【特許請求の範囲】
【請求項１】
平面形が正方形であり、上層部材と下層部材とを接着してなるタイルカーペットにおいて、
前記下層部材に複数本の線状の切れ目が厚み方向に該下層部材の厚み一杯に入れてあり、一対の該切れ目で挟まれた帯状領域の前記下層部材を、接着されている前記上層部材から剥離することにより該下層部材に少なくとも１つの溝が形成され、
前記正方形における互いに平行な２辺を第１及び第２の辺とし、前記正方形における前記第１及び第２の辺に直交する２辺を第３及び第４の辺とするとき、１つの前記帯状領域または連接する複数の前記帯状領域の剥離により形成される前記溝のうちの少なくとも１つは、片方および他方の溝端が前記第１乃至第４の辺の何れかに位置し、
溝端が前記第１乃至第４の辺の何れかに位置するように形成された前記溝を辺辺間連通溝と称するとき、該辺辺間連通溝はＬＡＮケーブル等のケーブルが通される幅および深さを有し
前記辺辺間連通溝の前記片方および他方の溝端は、前記第１および第３の辺にそれぞれ平行であって前記正方形の中心を通る第１及び第２の線、並びに該正方形の２つの対角線に関し、線対称になる位置に設けられるように前記一対の切れ目が形成してあり、
前記溝には、輪郭線が大および小の２つの同心円となる円形溝および輪郭線が平行な２本の直線となる直線形溝とがあり、
前記円形溝の輪郭線である２つの同心円の中心は、前記正方形の中心にあり、
前記直線形溝は、前記辺辺間連通溝であり、前記第１の辺に平行で前記同心円の中心より前記第１の辺側にある第１の直線形溝と、前記第２の辺に平行で前記同心円の中心より前記第２の辺側にある第２の直線形溝と、前記第３の辺に平行で前記同心円の中心より前記第３の辺側にある第３の直線形溝と、前記第４の辺に平行で前記同心円の中心より前記第４の辺側にある第４の直線形溝とでなり、
前記第１ないし第４の直線形溝の輪郭線である各前記平行な２本の直線は、それぞれ前記円形溝の輪郭線である前記大および小の２つの同心円の接線となっている
ことを特徴とするケーブル配線用タイルカーペット。
【請求項２】
前記第１、第３および第４の直線形溝の側壁ならびに前記第１の辺を辺縁とする領域の前記下層部材に第１の半円形溝が形成できるように前記線状の切れ目が形成してあり、
前記第１の半円形溝は、前記第１の直線形溝の中心線に関し、前記第１の線より前記第１の直線形溝側の部分である半円形の前記円形溝の線対称形をなし、
前記第３および第４の直線形溝の輪郭線である各前記平行な２本の直線は、それぞれ前記第１の半円形溝の輪郭線である大および小の２つの同心半円の接線となり、
前記第２、第３および第４の直線形溝の側壁ならびに前記第２の辺を辺縁とする領域の前記下層部材に第２の半円形溝が形成できるように前記線状の切れ目が形成してあり、
前記第２の半円形溝は、前記第２の直線形溝の中心線に関し、前記第１の線より前記第２の直線形溝側の部分である半円形の前記円形溝の線対称形をなし、
前記第３および第４の直線形溝の輪郭線である各前記平行な２本の直線は、それぞれ前記第２の半円形溝の輪郭線である大および小の２つの同心半円の接線となる
ことを特徴とする請求項１に記載のケーブル配線用タイルカーペット。
【請求項３】
前記第１、第２および第３の直線形溝の側壁ならびに前記第３の辺を辺縁とする領域の前記下層部材に第３の半円形溝が形成できるように前記線状の切れ目が形成してあり、
前記第３の半円形溝は、前記第３の直線形溝の中心線に関し、前記第２の線より前記第３の直線形溝側の部分である半円形の前記円形溝の線対称形をなし、
前記第１および第２の直線形溝の輪郭線である各前記平行な２本の直線は、それぞれ前記第３の半円形溝の輪郭線である大および小の２つの同心半円の接線となり、
前記第１、第２および第４の直線形溝の側壁ならびに前記第４の辺を辺縁とする領域の前記下層部材に第４の半円形溝が形成できるように前記線状の切れ目が形成してあり、
前記第４の半円形溝は、前記第４の直線形溝の中心線に関し、前記第２の線より前記第４の直線形溝側の部分である半円形の前記円形溝の線対称形をなし、
前記第１および第２の直線形溝の輪郭線である各前記平行な２本の直線は、それぞれ前記第４の半円形溝の輪郭線である大および小の２つの同心半円の接線となる
ことを特徴とする請求項２に記載のケーブル配線用タイルカーペット。
【請求項４】
請求項１に記載のケーブル配線用タイルカーペットを碁盤目状に配置してなることを特徴とするケーブル配線用タイルカーペット配置構造。
【請求項５】
請求項２に記載のケーブル配線用タイルカーペットを碁盤目状に配置してなることを特徴とするケーブル配線用タイルカーペット配置構造。
【請求項６】
請求項３に記載のケーブル配線用タイルカーペットを碁盤目状に配置してなることを特徴とするケーブル配線用タイルカーペット配置構造。
【発明の詳細な説明】
【技術分野】
【０００１】
本発明は、ＬＡＮケーブル、給電ケーブルなどのケーブルを床に敷設するのに用いられるケーブル配線用タイルカーペット、その製造方法およびその配置構造に関し、特に、カーペットの厚みを通常のものに比べて格別に高くすることを要せずしてケーブルを敷設でき、しかも製造費が低廉なケーブル配線用タイルカーペット、その製造方法およびその配置構造に関する。
【背景技術】
【０００２】
企業のオフィス等では、床にタイルカーペットが張られることが多い。タイルカーペットは建造物一体床に載置される。ここで、建造物一体床とは、建造物の構造体の一部をなし、経時的に交換されることの無いコンクリート製等の床構造である。タイルカーペットとしては、例えば特許文献１（特開２０１２−１１０４０３）の図１や図２に示されているような断面構造のものが知られている。特許文献１に例示されている形式のタイルカーペットは、表面側に衝撃緩衝用のパイル層、裏面側に裏貼層を有し、厚さ７ｍｍ程度、１辺５０ｃｍ程度の正方形の平面形をなすものが多い。タイルカーペットは、床の美観を高めるだけでなく、人が床を歩いた際に床から足に伝わる衝撃を緩衝したり、靴底との摩擦抵抗を増大し、滑り難くする作用を有する。そこで、タイルカーペットにおいて、オフィス内を歩く人の靴底で直接に踏まれる表面側は、衝撃緩衝作用や難滑作用を呈するように、粗いナイロン製のパイル糸で構成されることが多い。タイルカーペットの裏面は、通常は建造物一体床の上表面に接触する面であるが、下記のケーブル敷設構造が採用されたときは、ケーブル敷設構造の上面に接触する。
【０００３】
パーソナルコンピュータ、サーバ、プリンタ等のオフィス用電子機器が多数設置される近年のオフィス事情から、ＬＡＮケーブル、給電ケーブルなどのケーブルを敷設するためのケーブル敷設構造を建造物一体床の上に先ず設置し、そのケーブル敷設構造の上にタイルカーペットを敷設することがある。
【０００４】
そのケーブル敷設構造を用いて、ＬＡＮケーブル、給電ケーブルなどのケーブルの敷設を可能とした床構造が「ケーブル床配線用ＯＡパネルユニットおよびその配置構造」として特許文献２（特開２０１２−７７５７３）に開示されている。特許文献２のケーブル床配線用ＯＡパネルユニットは、特許文献２の図１、図２および図３にそれぞれ示されるメインパネル体（１１）、第１サブパネル体（２１）および第２サブパネル体（３１）を互いに隣接させて、建造物一体床（既存床Ｆ）上に直に碁盤目状に置敷して構成される。
【０００５】
メインパネル体（１１）は直線形のケーブル配線溝（１４）を有し、また第１サブパネル体（２１）および第２サブパネル体（３１）は、湾曲した形のケーブル配線溝（２４，３４）を有する。各パネルの側面におけるケーブル配線溝の端が隣接する他のパネルの側面におけるケーブル配線溝の端に一致するように、これら３種のパネルの内の何れかを適宜選択して組み合わせることにより、複数のパネルにおける各ケーブル配線溝が連接され、長いケーブルを収めるための連通ルート（４１，４２，４３）が形成される（特許文献２の図４参照）。
【０００６】
それらの各パネルは、そのケーブル配線溝の開口を上に向けた状態で、建造物一体床（既存床Ｆ）上に置敷される。開口が上側を向いた状態で置敷されるので、各パネルが人の靴で踏まれたときに、荷重を緩衝して、各パネルが損傷するのを防ぎ、あるいはケーブル配線溝を隠す目的で、その開口を覆う床マット（７１）が敷設されることもある（特許文献２の段落００２１，００５０、図５参照）。ケーブル（５１）が配線されないケーブル配線溝は、溝カバー材（６１）で埋められることもある（特許文献２の段落００５５、図５参照）。
【先行技術文献】
【特許文献】
【０００７】
【特許文献１】特開２０１２−１１０４０３号公報
【特許文献２】特開２０１２−７７５７３号公報
【発明の概要】
【発明が解決しようとする課題】
【０００８】
上述の特許文献２に記載されたケーブル床配線用ＯＡパネルユニットにおける各パネルは１辺が５０ｃｍ、厚みが１０〜１２ｍｍの硬質塩化ビニールなどの合成樹脂板でなる（特許文献２の段落００２４）。更に、各パネルの損傷を防止するように荷重を緩衝し、あるいはケーブル配線溝を隠すために、それら各パネルを覆う床マット（７１）を敷設すると、床マットの厚み分だけ床面が上側に嵩上げされる。床マットの厚みは薄いものでも５ｍｍはあるので、ケーブル床配線用ＯＡパネルユニット及び床マットでなる床構造の厚みは少なくとも１５〜１７ｍｍとなる。
【０００９】
通常のタイルカーペットの厚みは７ｍｍ程度であるから、特許文献２のケーブル敷設構造（ケーブル床配線用ＯＡパネルユニット）上に床マットを更に載置してなる床構造をオフィスの床に敷設するときは、通常のタイルカーペットを敷設した場合より８〜１０ｍｍ程度床構造の厚みが厚くなり、その分だけ床面から天井までの高さが小さくなるので、オフィスの天井が低く感じられ、オフィス空間に閉塞感が生じ、オフィスの快適性が低下する。また、その厚みが、通常のオフィスに予定されているカーペットの厚み（７ｍｍ程度）より大きいと、床構造（ケーブル床配線用ＯＡパネルユニットおよび床マット）の表面がオフィス出入口の既成のドアの下縁より高くなり、既成のドアの下縁を高くする等の改修工事が必要になる。
【００１０】
さらに、特許文献２のケーブル敷設構造（ケーブル床配線用ＯＡパネルユニット）は、メインパネル体（１１）、第１サブパネル体（２１）および第２サブパネル体（３１）という３種のパネルを互いに隣接させて、建造物一体床（既存床Ｆ）上に碁盤目状に置敷されるので、ケーブルを収めるための連通ルート（４１，４２，４３）に応じて何れのパネルを何処に置敷するかの選択が複雑であり、パネル敷設現場での作業性は低くならざるを得ない。
【００１１】
特許文献２のケーブル敷設構造（ケーブル床配線用ＯＡパネルユニット）は、ケーブル配線溝の開口が上側を向くように、建造物一体床（既存床Ｆ）上に置敷される。そこで、この特許文献２のケーブル敷設構造には、パネルが人の靴で踏まれたときに、荷重を緩衝して、各パネルが損傷するのを防ぎ、あるいはケーブル配線溝を隠すために、その開口を覆う床マット（７１）を敷設することが実際上必須であると推測される。このように、この特許文献２のケーブル敷設構造は、床マット（７１）やタイルカーペット等という、人が床を歩いた際に床から受ける衝撃を緩衝したり、滑り難くするための衝撃緩衝・難滑マットとは別に、ケーブル敷設のために格別に設けられるケーブル敷設専用構造である。そこで、特許文献２のケーブル敷設構造（ケーブル床配線用ＯＡパネルユニット）を衝撃緩衝・難滑マットで覆ってなる床構造は、ケーブルの敷設を目的とせず、衝撃を緩衝したり、滑り難くすることだけを目的とする通常の衝撃緩衝・難滑マットに比べ、格段に高価なものとなる。
【００１２】
そこで、本発明は、かかる課題を解決するために、床を歩いたときに感じる衝撃の緩和や滑り難くすることを目的とする衝撃緩衝・難滑用のタイルカーペットと同程度の厚さで足り、敷設現場での作業性に優れ、また製造費が低廉なケーブル配線用タイルカーペット及びその配置構造の提供を目的とする。
【課題を解決するための手段】
【００１３】
前述の課題を解決するため、本発明によるケーブル配線用タイルカーペット及びその配置構造は、主に次のような特徴的な構成を採用している。
【００１４】
（１）本発明によるケーブル配線用タイルカーペットは、
平面形が正方形であり、上層部材と下層部材とを接着してなるタイルカーペットにおいて、
前記下層部材に複数本の線状の切れ目が厚み方向に該下層部材の厚み一杯に入れてあり、一対の該切れ目で挟まれた帯状領域の前記下層部材を、接着されている前記上層部材から剥離することにより該下層部材に少なくとも１つの溝が形成され、
前記正方形における互いに平行な２辺を第１及び第２の辺とし、前記正方形における前記第１及び第２の辺に直交する２辺を第３及び第４の辺とするとき、１つの前記帯状領域または連接する複数の前記帯状領域の剥離により形成される前記溝のうちの少なくとも１つは、片方および他方の溝端が前記第１乃至第４の辺の何れかに位置し、
溝端が前記第１乃至第４の辺の何れかに位置するように形成された前記溝を辺辺間連通溝と称するとき、該辺辺間連通溝はＬＡＮケーブル等のケーブルが通される幅および深さを有し
前記辺辺間連通溝の前記片方および他方の溝端は、前記第１および第３の辺にそれぞれ平行であって前記正方形の中心を通る第１及び第２の線、並びに該正方形の２つの対角線に関し、線対称になる位置に設けられるように前記一対の切れ目が形成してあり、
前記溝には、輪郭線が大および小の２つの同心円となる円形溝および輪郭線が平行な２本の直線となる直線形溝とがあり、
前記円形溝の輪郭線である２つの同心円の中心は、前記正方形の中心にあり、
前記直線形溝は、前記辺辺間連通溝であり、前記第１の辺に平行で前記同心円の中心より前記第１の辺側にある第１の直線形溝と、前記第２の辺に平行で前記同心円の中心より前記第２の辺側にある第２の直線形溝と、前記第３の辺に平行で前記同心円の中心より前記第３の辺側にある第３の直線形溝と、前記第４の辺に平行で前記同心円の中心より前記第４の辺側にある第４の直線形溝とでなり、
前記第１ないし第４の直線形溝の輪郭線である各前記平行な２本の直線は、それぞれ前記円形溝の輪郭線である前記大および小の２つの同心円の接線となっている
ことを特徴とする。
（２）本発明によるケーブル配線用タイルカーペット配置構造は、上記（１）に記載のケーブル配線用タイルカーペットを碁盤目状に配置してなることを特徴とする。
【発明の効果】
【００１５】
本発明によれば、床を歩いたときに感じる衝撃の緩和や滑り難くすることを目的とする衝撃緩衝・難滑用のタイルカーペットと同程度の厚さで足り、敷設現場での作業性に優れ、また製造費が低廉なケーブル配線用タイルカーペット、その製造方法およびその配置構造を提供できる。
【図面の簡単な説明】
【００１６】
【図１】本発明のケーブル配線用タイルカーペットの第１の実施形態を示す平面図である。
【図２】図1のケーブル配線用タイルカーペットのPP線矢視断面図である。
【図３】図1のケーブル配線用タイルカーペットのＱＱ線矢視断面図である。
【図４】図２のケーブル配線用タイルカーペットの部分拡大断面図である。
【図５】図1における溝埋め部材を剥離した状態のケーブル配線用タイルカーペットを示す平面図である。
【図６】図５のケーブル配線用タイルカーペットのPP線矢視断面図である。
【図７】図５のケーブル配線用タイルカーペットのＱＱ線矢視断面図である。
【図８】図６のケーブル配線用タイルカーペットの部分拡大断面図である。
【図９】図５のケーブル配線用タイルカーペットの複数個を碁盤目状に配列してなるケーブル配線用タイルカーペット配置構造の一例を示す平面図である。
【図１０】図５のケーブル配線用タイルカーペットの複数個を碁盤目状に配列してなるケーブル配線用タイルカーペット配置構造の別の例を示す平面図である。
【図１１】本発明のケーブル配線用タイルカーペットの第２の実施形態を示す平面図である。
【図１２】図１１のケーブル配線用タイルカーペットの複数個を碁盤目状に配列してなるケーブル配線用タイルカーペット配置構造の一例を示す平面図である。
【図１３】本発明のケーブル配線用タイルカーペットの第３の実施形態を示す平面図である。
【図１４】図１３のケーブル配線用タイルカーペットの複数個を碁盤目状に配列してなるケーブル配線用タイルカーペット配置構造の一例を示す平面図である。
【図１５】一般的なタイルカーペットの一例を示す断面図である。
【図１６】一般的なタイルカーペットの別の例を示す断面図である。
【発明を実施するための形態】
【００１７】
以下、本発明によるケーブル配線用タイルカーペット、その製造方法およびその配置構造の実施形態について添付図を参照して説明する。
【００１８】
図１は、本発明のケーブル配線用タイルカーペットの第１の実施形態を示す平面図である。図２および図３は、それぞれ図1のケーブル配線用タイルカーペットのＰＰ線矢視断面図およびＱＱ線矢視断面図である。また、図４は、図２のケーブル配線用タイルカーペットの部分拡大断面図である。これらの図および以下に説明する各図において、１は第１の実施形態のケーブル配線用タイルカーペット、Ａ，Ｂ，Ｃ，Ｄ，Ｅ，Ｆ，Ｇ，Ｈ，Ｉ，Ｊ１，Ｊ２，Ｊ３，Ｊ４は部分下層部材、Ｋは上層部材、１１０，１２０，１３０，１４０は直線形溝埋め部材、１５０は円形溝埋め部材、１１１，１１２，１２１，１２２，１３１，１３２，１４１，１４２は直線切れ目、１５１は円形切れ目、１５２は部分円形切れ目をそれぞれ示す。
【００１９】
ケーブル配線用タイルカーペット１の平面図形は、図１に現れているように、１辺の長さがａの正方形であり、その正方形の中心はｏで示してある。h,i,j,kは該正方形の４つの頂点であり、該正方形の辺hi,kj,hk及びijは、それぞれ特許請求の範囲における第１、第２、第３および第４の辺に相当する。前記ＰＰ線は該正方形の中心ｏを通る。そのＰＰ線（特許請求の範囲における第１の線に相当。）およびＱＱ線は、該正方形の上辺ｈｉおよび下辺ｋｊに平行である。図におけるＲＲ線（特許請求の範囲における第２の線に相当。）は中心ｏを通り、左辺ｈｋおよび右辺ｉｊに平行な線である。直線切れ目１１１，１１２，１２１，１２２は該正方形の上辺ｈｉおよび下辺ｋｊに平行である。直線切れ目１３１，１３２，１４１，１４２は該正方形の左辺ｈｋおよび右辺ｉｊに平行である。直線切れ目１１１と１１２との間隔、直線切れ目１２１と１２２との間隔、直線切れ目１３１と１３２との間隔、直線切れ目１４１と１４２との間隔は、いずれも一定値ｆである。
【００２０】
部分下層部材のうち、Ａ〜Ｄ，Ｆ〜Ｉは矩形であり、Ｅは円形である。部分下層部材Ｊ１〜Ｊ４は、部分円形切れ目１５２と、互いに直交する２本の直線切れ目とを辺縁とする略三角形である。本実施の形態において、下層部材とは、部分下層部材Ａ，Ｂ，Ｃ，Ｄ，Ｅ，Ｆ，Ｇ，Ｈ，Ｉ，Ｊ１，Ｊ２，Ｊ３，Ｊ４、直線形溝埋め部材１１０，１２０，１３０，１４０および円形溝埋め部材１５０を合わせた全体を称する名称である（２つの溝埋め部材が重なる領域は、どちらか一方の溝埋め部材が下層部材の一部領域を占め、その重なる領域では他方の溝埋め部材は欠けているものとする。）。後に説明する他の実施の形態においても同様である。
【００２１】
タイルカーペットでは、上述したように、建造物一体床に載置される面が裏面であり、歩行者の靴底に直接に接触する面が表面であるが、本発明の特徴は、裏面から見た図に拠った方が表面から見た図に拠るよりもよく現れるので、前記各図および後に説明する各図は、建造物一体床に載置されるときの状態とは上下を逆にして描いてある。従って、平面図はタイルカーペットの裏面側から見た図であり、断面図ではタイルカーペットの裏面が紙面の上側に描かれている。
【００２２】
以下には、この第１の実施形態の説明に続いて第２および第３の実施形態のケーブル配線用タイルカーペット、その製造方法、およびそれら実施形態のケーブル配線用タイルカーペットの複数を配置してなるケーブル配線用タイルカーペット配置構造を説明する。なお、説明に当たって参照する各図は前述の作図方針に則って描いてある。すなわち、本発明の実施形態を表す各図においては、平面図はタイルカーペットの裏面側から見た図であり、断面図では、各タイルカーペットの下層部材が図の上側に現れ、上層部材Ｋが図の下側に現れている。
【００２３】
再び図１乃至図４を参照し、第１の実施の形態のケーブル配線用タイルカーペットについて説明を続ける。第１の実施の形態のケーブル配線用タイルカーペットは、下層部材と上層部材Ｋとを接着剤で接着してなる。符号１０は、上層部材Ｋと下層部材との接着面を示す。上層部材Ｋは、厚さｔが３．５ｍｍ、１辺の長さが５０ｃｍの正方形で、例えば図１６の従来のタイルカーペットにおける表面パイル層２０２、  バックステッチ２０７及び一次接着剤層２０６ａでなるものある。下層部材は、１辺の長さが５０ｃｍの正方形で、厚さｔが３．５ｍｍの板状体でなり、塩化ビニル樹脂製の１枚の可撓性板状体に、直線切れ目１１１，１１２，１２１，１２２，１３１，１３２，１４１，１４２、円形切れ目１５１および部分円形切れ目１５２を入れてなる。この部分円形切れ目１５２は、部分下層部材Ｊ１，Ｊ２，Ｊ３，Ｊ４それぞれと円形溝埋め部材１５０との境界面をなしている。これら各切れ目の深さは、その可撓性板状体の厚さと同じである。そこで、この可撓性板状体は、元々（切れ目を入れる前の状態では）１枚ではあるが、各切れ目により分断されている。下層部材に切れ目を入れることにより区分けされた領域Ａ，Ｂ，Ｃ，Ｄ，Ｅ，Ｆ，Ｇ，Ｈ，Ｉ，Ｊ１，Ｊ２，Ｊ３，Ｊ４が部分下層部材、領域１１０，１２０，１３０，１４０が直線形溝埋め部材、領域１５０が円形溝埋め部材である。
【００２４】
図１のケーブル配線用タイルカーペット（第１の実施の形態）における各部の寸法は、ａ：５０ｃｍ、ｂ：２０ｃｍ、ｃ：１５ｃｍ、ｆ：６ｍｍである。上層部材Ｋと下層部材とは、接着剤で接着されている。この接着剤は、時間が経過しても硬化しない非硬化型である。そこで、直線形溝埋め部材１１０，１２０，１３０，１４０および円形溝埋め部材１５０は、他の部分を手で保持し、或は足などで床に押し付けておいて、それら各溝埋め部材の端をニッパーやペンチで鋏み、接着面１０に直交する方向に引っ張ることにより、上層部材Ｋから剥離することができる。また、これら直線形溝埋め部材１１０，１２０，１３０，１４０は、各切れ目を境界とする領域ごとに細分されているので、細分された領域別に上層部材Ｋから個別に剥離することができる。
【００２５】
図１に現れているように、直線形溝埋め部材１１０および１２０は、直線切れ目１３１，１３２，１４１，１４２で切断されている。同様に、直線形溝埋め部材１３０および１４０は、直線切れ目１１１，１１２，１２１，１２２で切断されている。従って、直線形溝埋め部材１１０，１２０，１３０及び１４０は、いずれも幅ｆの細長い部分３つと、一辺ｆの小さい正方形の部分２つとに分けられ、計５つの部分に分割されている。なお、その一辺ｆの小さい正方形の部分は、図１に示されているように、４箇所にあり、図の横方向に長い直線形溝埋め部材１１０，１２０と、縦方向に長い直線形溝埋め部材１３０，１４０との双方に属する部分である。図３には、横方向に長い直線形溝埋め部材１１０と縦方向に長い直線形溝埋め部材１３０との双方に属する部分には符号１１０，１３０を付し、横方向に長い直線形溝埋め部材１１０と縦方向に長い直線形溝埋め部材１４０との双方に属する部分には符号１１０，１４０を付して示した。
【００２６】
これら直線形溝埋め部材１１０，１２０，１３０，１４０における細分された各部は、前述のとおり、上層部材Ｋから個別に剥離することができる。他方、円形溝埋め部材１５０の一部領域は、直線形溝埋め部材１１０，１２０，１３０，１４０の一部領域（幅ｆの細長い３つの部分のうちの真中のもの）と重複している。従って、円形溝埋め部材１５０を上層部材Ｋから剥離するときは、直線形溝埋め部材１１０，１２０，１３０，１４０の一部領域（幅ｆの細長い３つの部分のうちの真中のもの）と一緒に剥離される。図２では、直線形溝埋め部材１３０と円形溝埋め部材１５０との双方に属する部分には符号１３０，１５０を付し、直線形溝埋め部材１４０と円形溝埋め部材１５０との双方に属する部分には符号１４０，１５０を付して示した。
【００２７】
図５は、図１の本発明の第１の実施形態であるケーブル配線用タイルカーペット１における直線形溝埋め部材１１０，１２０，１３０，１４０及び円形溝埋め部材１５０を上層部材Ｋから剥離した状態を示す平面図である。一点鎖線ＲＲは、ケーブル配線用タイルカーペット１の中心ｏを通り、ケーブル配線用タイルカーペット１の左辺ｈｋに平行な線である。図６および図７は、それぞれ図５のケーブル配線用タイルカーペットのＰＰ線矢視断面図およびＱＱ線矢視断面図である。また、図８は、図６のケーブル配線用タイルカーペットの部分拡大断面図である。図において、１１，１２，１３及び１４は、それぞれ図１の直線形溝埋め部材１１０，１２０，１３０及び１４０を上層部材Ｋから剥がすことにより形成される直線形溝であり、特許請求の範囲における第１、第２、第３および第４の直線形溝にそれぞれ相当する。１５は円形溝埋め部材１５０を上層部材Ｋから剥がすことにより形成される円形溝である。また、図８における１３ｄ及び１３ｅは直線形溝１３の側壁であり、それぞれ部分下層部材Ｄ及びＥの端面でもある。なお、直線形溝１１及び１２は溝端が辺ｈｋ及び辺ｉｊにそれぞれ位置し、直線形溝１３及び１４は溝端が辺ｈｊ及び辺ｋｊにそれぞれ位置する。これらの溝１１，１２，１３及び１４は、溝端が正方形の４つの辺の何れかに位置するように形成されるので、特許請求の範囲における辺辺間連通溝の一例である。また、直線形溝１３の下端から入り、円形溝１５の一部分であって、略三角形の部分下層部材Ｊ1と円形の部分下層部材Ｅとの間の溝を経て、直線形溝１１の右側溝端へ出る経路の溝も、その辺辺間連通溝の一例である。
【００２８】
図９は、図５の状態のケーブル配線用タイルカーペット複数個を縦横に碁盤目状に配置してなるケーブル配線用タイルカーペット配置構造の一例を示す平面図である。図９には、説明の簡素化のために、ケーブル配線用タイルカーペットが、縦横にそれぞれ４個ずつ配置された例を示した。実用の場面においては、縦横に配置する個数は任意に選択することができ、通常は部屋の床面の全面に敷き詰められるので、更に多数個が同様に碁盤目状に配置されることとなる。
【００２９】
図９において、［１１１］，［１２１］，・・・・・［４４１］の如くに［  ］で括った符号１１１，１２１・・・・・４４１は、それぞれ図５のケーブル配線用タイルカーペット１を示す。符号５１及び５２は、ＬＡＮケーブル、給電ケーブルなどのケーブルを示す。ｘ１ｉ，ｘ２ｉ・・・・・・ｘ８ｉ及びｘ１ｏ，ｘ２ｏ・・・・・・ｘ８ｏはそれぞれ直線形溝１３及び１４の溝端であり、ｙ１ｉ，ｙ２ｉ・・・・・・ｙ８ｉ及びｙ１ｏ，ｙ２ｏ・・・・・・ｙ８ｏはそれぞれ直線形溝１２及び１１の溝端である。
【００３０】
直線形溝１１，１２，１３及び１４並びに円形溝１５は、深さｔが３．５ｍｍ、幅ｆが６ｍｍであり、ＬＡＮケーブル、給電ケーブルなどのケーブルが収容される。図９の例では、ケーブル５１が溝端ｘ４ｉからｙ４ｉの間に配線され、ケーブル５２が溝端ｘ５ｉからｙ６ｏの間に配線されている。
【００３１】
図９には、全ての溝埋め部材を剥離した状態の図５のケーブル配線用タイルカーペットを用いた例を示した。しかし、実際にケーブルを配線する経路となる溝だけがあれば足り、それらの溝を形成するための溝埋め部材だけを剥離すればよい。図９の例では、ケーブル５１を配線するためには、ケーブル配線用タイルカーペット２１１，２２１及び１２１における一部の溝埋め部材だけを剥離すれば足りる。また、ケーブル５２を配線するためには、ケーブル配線用タイルカーペット３１１，３２１，３３１，及び４３１にける一部の溝埋め部材だけを剥離すれば足りる。したがって、ケーブルを敷設する経路を予め設計しておき、必要な部分の溝埋め部材だけを剥離するようにすれば、剥離の手間を省略できるし、不要な領域に溝を設けないようにすることにより、ケーブル配線用タイルカーペット１の全面における弾力の均質性を維持できる。
【００３２】
図１、図５に示す平面図から分かるように、本第１の実施形態のケーブル配線用タイルカーペット１の平面形は、正方形であり、中心ｏを通り上辺ｈｉに平行な線ＰＰおよび中心ｏを通り左辺ｈｋに平行な線ＲＲ、並びに該正方形の対角線ｈｊおよびｉｋに関し線対称である。そこで、各ケーブル配線用タイルカーペット１の上下方向および左右方向を考慮することなく、複数個のケーブル配線用タイルカーペット１を図９のように単に碁盤目状に配列するだけで、各ケーブル配線用タイルカーペット１における直線形溝１１，１２，１３及び１４の溝端は、隣接する他のケーブル配線用タイルカーペット１における直線形溝１１，１２，１３及び１４の溝端にそれぞれ自ずから当接する。したがって、本実施の形態のケーブル配線用タイルカーペット１を使用して、ケーブル配線用タイルカーペット配置構造を構成するとき、タイルカーペット１を図１、図５の向きに配置しても、この向きから９０度、１８０度または２７０度回転させて配置しても、隣接するもの相互で溝端が当接するように各溝を設けることができるので、格別な熟練を要することなく、タイルカーペットの施工を誰でも容易に短時間に行うことができる。
【００３３】
図１乃至図８に示した本発明の第１の実施形態のケーブル配線用タイルカーペット１は、下層部材に切れ目を入れるだけで、ＬＡＮケーブル等のケーブルを嵌められる溝が形成され、上層部材と下層部材とでなるタイルカーペットだけで足り、ケーブルを収めるための格別な構造を必要としないから、床を歩いたときに感じる衝撃の緩和や滑り難くすることを目的とする衝撃緩衝・難滑用の通常のタイルカーペットと同程度の厚さで足りる。そこで、オフィスの床にこのケーブル配線用タイルカーペット1を敷設することにより、ドアの下端と床との間隔は通常のタイルカーペットの場合と同じ程度で足り、ドアの下端を格別に上げる工事を必要とせずに、ケーブル配線用タイルカーペット1は容易に安価に敷設できる。また、例えば特許文献２のケーブル敷設構造（ケーブル床配線用ＯＡパネルユニット）では、人が床を歩いた際に床から受ける衝撃を緩衝したり、滑り難くするための衝撃緩衝・難滑マットとは別に、ケーブル敷設のために格別に設けられるケーブル敷設専用構造を必要としたが、本実施形態のケーブル配線用タイルカーペット１は、下層部材にその厚み分の深さに切れ目を入れるだけで製造できるから、低廉な費用で製造できる。さらに、溝埋め部材を上層部材から剥がす工事は、タイルカーペットの敷設現場でも行うことができるので、現場の状況に対応するように、ケーブルの敷設経路を自在に設定でき、現場作業の柔軟性に優れている。
【００３４】
図１０は、図５の状態のケーブル配線用タイルカーペットを縦横に８個ずつ碁盤目状に配置してなるケーブル配線用タイルカーペット配置構造の一例を示す平面図である。符号５３，５４，５５及び５６は、ＬＡＮケーブル、給電ケーブルなどのケーブルを示す。ｘ１ｉ，ｘ２ｉ・・・・・・ｘ１６ｉ及びｘ１ｉｏ，ｘ２ｏ・・・・・・ｘ１６ｏは直線形溝１３及び１４の溝端であり、ｙ１ｉ，ｙ２ｉ・・・・・・ｙ１６ｉ及びｙ１ｏ，ｙ２ｏ・・・・・・ｙ１６ｏは直線形溝１２及び１１の溝端である。下辺の溝端から左辺の溝端に至る経路にケーブル５４を、下辺の溝端から右辺の溝端に至る経路にケーブル５６をそれぞれ配線できることは、図９の例におけるケーブル５１及び５２と同様である。図１０には、更に、下辺の溝端から別の下辺の溝端に至る経路にケーブル５３を配線し、下辺の溝端から真っ直ぐに上辺の溝端にケーブル５５を配線した例が示してある。
【００３５】
図１１は、本発明のケーブル配線用タイルカーペットの第２の実施形態を示す図であり、図５と同様に、溝埋め部材を上層部材Ｋから剥離した状態を示す平面図である。この図１１の第２の実施形態のケーブル配線用タイルカーペット２と、図１乃至図８に示した第１の実施形態のケーブル配線用タイルカーペット１との相違は、部分下層部材Ｂに半円形溝１６（特許請求の範囲における第１の半円形溝に相当。）が、部分下層部材Ｈに半円形溝１７（特許請求の範囲における第２の半円形溝に相当。）が、それぞれ設けてある点であり、その他の点は第１の実施形態と同じである。半円形溝１６，１７の平面形は、半円形に近似した形であればよく、厳密に半円形である必要はない。
【００３６】
図１２は、図１１のケーブル配線用タイルカーペット複数個を縦横に碁盤目状に配置してなるケーブル配線用タイルカーペット配置構造の一例を示す平面図である。図１２には、説明の簡素化のために、ケーブル配線用タイルカーペットが、縦横にそれぞれ４個ずつ配置された例を示した。実用の場面においては、縦横に配置する個数は任意に選択することができ、通常は部屋の床面の全面に敷き詰められるので、更に多数個が同様に碁盤目状に配置されることは、図９の例について述べたところと同じである。
【００３７】
図１２において、［１１２］，［１２２］，・・・・・［４４２］の如くに［  ］で括った符号１１２，１２２・・・・・４４２は、それぞれ図１１のケーブル配線用タイルカーペット２を示す。符号５７，５８，５９及び６０は、ＬＡＮケーブル、給電ケーブルなどのケーブルを示す。図９と同様に、ｘ１ｉ，ｘ２ｉ・・・・・・ｘ８ｉ及びｘ１ｏ，ｘ２ｏ・・・・・・ｘ８ｏは直線形溝１３及び１４の溝端であり、ｙ１ｉ，ｙ２ｉ・・・・・・ｙ８ｉ及びｙ１ｏ，ｙ２ｏ・・・・・・ｙ８ｏは直線形溝１２及び１１の溝端である。
【００３８】
図１２の例では、ケーブル５７が下辺の溝端ｘ１ｉから左辺の溝端ｙ５ｉの間に配線され、ケーブル５８が下辺の溝端ｘ３ｉから上辺の溝端ｘ６ｏの間に配線され、ケーブル５９が下辺の溝端ｘ６ｉから上辺の溝端ｘ８ｏの間に配線され、ケーブル６０が下辺の溝端ｘ８ｉから右辺の溝端ｙ２ｏの間に配線されている。これらの配線例から分かるように、図１１のケーブル配線用タイルカーペット複数個を用いたケーブル配線用タイルカーペット配置構造では、下辺から入れたケーブルを左辺、上辺および右辺から取り出すことができ、また半円形溝１６，１７を設けたことにより、ケーブルの入口および出口となる溝端の選択の自由度が第１の実施形態に比べ向上する。また、溝端の選択の自由度のみならず、入口の溝端から出口の溝端に至るケーブルの経路の選択の自由度も増大する。なお、ここで、溝端を入口および出口と称したが、１本のケーブルの敷設経路について、ケーブル配線用タイルカーペット配置構造における溝端のどちらか一方を入口と称すれば、他方が出口となる。例えば、ケーブル５７の敷設経路については、溝端ｘ１ｉを入口とすれば、溝端ｙ５ｉが出口となる。
【００３９】
図１１に示す平面図から分かるように、本第２の実施形態のケーブル配線用タイルカーペット２の平面形は、正方形であり、中心ｏを通り左右の辺に平行な線ＲＲおよび中心ｏを通り上下の辺に平行な線ＰＰに関し線対称である。そこで、各ケーブル配線用タイルカーペット２の上下の方向さえ揃えれば、複数個のケーブル配線用タイルカーペット１を図１２のように単に碁盤目状に配列するだけで、各ケーブル配線用タイルカーペット１における直線形溝１１，１２，１３及び１４の溝端は、隣接する他のケーブル配線用タイルカーペット１における直線形溝１１，１２，１３及び１４の溝端にそれぞれ自ずから当接する。なお、左右の方向を揃えることは上下の方向を揃えることにもなるので、上下方向または左右方向の何れか一方を揃えて碁盤目状に配列すれば、図１２のケーブル配線用タイルカーペット配置構造は簡単に施工できる。
【００４０】
但し、図１乃至図８の第１の実施形態とは異なり、ケーブル配線用タイルカーペット２の平面形である正方形の対角線ｈｊ，ｉｋに関する線対称性は、図１１の実施形態にはないので、上下の方向を揃えること（ひいては、左右の方向を揃えること）は、図１２のように斉一なパターンに溝を形成するためには必要である。そこで、複数のケーブル配線用タイルカーペット２を碁盤目状に床に配置してなるケーブル配線用タイルカーペット配置構造において、ケーブル配線用タイルカーペット２の上辺ｈｉの方向を見たときに、図１１の方向と、図１１の方向に対し直交する方向とが混在しているときは、図１２のように斉一なパターンに溝は形成されない。尤も、図１１の実施形態においても、直線形溝１１，１２，１３及び１４については、該正方形の対角線ｈｊ，ｉｋに関する線対称性はあるので、複数のケーブル配線用タイルカーペット２を碁盤目状に床に配置する際に、図１１の方向のケーブル配線用タイルカーペット２と、図１１のケーブル配線用タイルカーペット２とは上下方向を９０度回転させたものとを混在させても、直線形溝１１，１２，１３及び１４の溝端は隣接のケーブル配線用タイルカーペット２相互で当接し、少なくとも第１の実施形態と同じパターンに配線溝経路を形成できる。
【００４１】
本発明の第２の実施形態である図１１のケーブル配線用タイルカーペット２及びそれを用いた図１２の配置構造は、厚みが通常のタイルカーペットと同程度の薄さでありながらＬＡＮケーブル等のケーブルを嵌められる溝を有するので通常のタイルカーペットと同程度の厚みで足りること、製造が容易で、安価に製造できること、敷設工事におけるケーブル敷設経路の選択において柔軟性に富み、しかも熟練を要することなく容易に敷設できること等、先に説明した第１の実施の形態のケーブル配線用タイルカーペット１およびその配置構造と同様に優れた効果を上げることができる。
【００４２】
図１３は、本発明のケーブル配線用タイルカーペットの第３の実施形態を示す図であり、図５および図１１と同様に、溝埋め部材を上層部材Ｋから剥離した状態を示す平面図である。この図１３の第３の実施形態のケーブル配線用タイルカーペット３と、図１１に示した第２の実施形態のケーブル配線用タイルカーペット２との相違は、部分下層部材Ｄに半円形溝１８（特許請求の範囲における第３の半円形溝に相当。）が、部分下層部材Ｆに半円形溝１９（特許請求の範囲における第４の半円形溝に相当。）が、それぞれ設けてある点であり、その他の点は第２の実施形態と同じである。半円形溝１８，１９の平面形は、半円形に近似した形であればよく、厳密に半円形である必要はない。
【００４３】
図１４は、図１３のケーブル配線用タイルカーペット複数個を縦横に碁盤目状に配置してなるケーブル配線用タイルカーペット配置構造の一例を示す平面図である。図１４には、説明の簡素化のために、ケーブル配線用タイルカーペット３が、縦横にそれぞれ４個ずつ配置された例を示した。実用の場面においては、縦横に配置する個数は任意に選択することができ、通常は部屋の床面の全面に敷き詰められるので、更に多数個が同様に碁盤目状に配置されることは、図９および図１２の例について述べたところと同じである。
【００４４】
図１４において、［１１３］，［１２３］，・・・・・［４４３］の如くに［  ］で括った符号１１３，１２３・・・・・４４３は、それぞれ図１３のケーブル配線用タイルカーペット３を示す。符号６１，６２，６３及び６４は、ＬＡＮケーブル、給電ケーブルなどのケーブルを示す。図９および図１２と同様に、図１４におけるｘ１ｉ，ｘ２ｉ・・・・・・ｘ８ｉ及びｘ１ｏ，ｘ２ｏ・・・・・・ｘ８ｏは直線形溝１３及び１４の溝端であり、ｙ１ｉ，ｙ２ｉ・・・・・・ｙ８ｉ及びｙ１ｏ，ｙ２ｏ・・・・・・ｙ８ｏは直線形溝１２及び１１の溝端である。
【００４５】
図１３のケーブル配線用タイルカーペット（第３の実施形態）では、半円形溝１８および１９が設けてあるので、これを用いた図１４のケーブル配線用タイルカーペット配置構造では、ケーブルの入口および出口となる溝端の選択の自由度が第２の実施形態に比べ更に向上する。また、図１３のケーブル配線用タイルカーペット（第３の実施形態）では、溝端の選択の自由度のみならず、入口の溝端から出口の溝端に至るケーブルの経路の選択の自由度も増大する。例えば、図１４にはケーブル６１〜６４を例示したが、これらのケーブル６１〜６４の敷設経路は図１２の例（第２の実施形態のケーブル配線用タイルカーペットを用いたケーブル配線用タイルカーペット配置構造）では選択することができない経路である。
【００４６】
図１３に示す平面図から分かるように、本第３の実施形態のケーブル配線用タイルカーペット３の平面形は、正方形であり、中心ｏを通り上辺ｈｉに平行な線ＰＰおよび中心ｏを通り左辺ｈｋに平行な線ＲＲ、並びに該正方形の対角線ｈｊおよびｉｋに関し線対称である。そこで、各ケーブル配線用タイルカーペット１の上下方向および左右方向を考慮することなく、複数個のケーブル配線用タイルカーペット１を図１４のように単に碁盤目状に配列するだけで、各ケーブル配線用タイルカーペット１における直線形溝１１，１２，１３及び１４の溝端は、隣接する他のケーブル配線用タイルカーペット１における直線形溝１１，１２，１３及び１４の溝端にそれぞれ自ずから当接する。したがって、本実施の形態のケーブル配線用タイルカーペット１を使用して、ケーブル配線用タイルカーペット配置構造を構成するというタイルカーペット施工作業は、配置を誤る虞がないので、格別な熟練を要することなく、容易に短時間に行うことができる。
【００４７】
本発明の第３の実施形態である図１３のケーブル配線用タイルカーペット３及びそれを用いた図１４の配置構造は、厚みが通常のタイルカーペットと同程度に薄さでありながらＬＡＮケーブル等のケーブルを嵌められる溝を有するので通常のタイルカーペットと同程度の厚みで足りること、製造が容易で、安価に製造できること、敷設工事におけるケーブル敷設経路の選択において柔軟性に富み、しかも熟練を要することなく容易に敷設できること等、先に説明した第１および第２の実施の形態のケーブル配線用タイルカーペット１，２およびその配置構造と同様に優れた効果を上げることができる。
【００４８】
以上には、時間が経過しても硬化しない非硬化型接着剤で上層部材と下層部材とを接着してなるタイルカーペットにＬＡＮケーブル等のケーブルの幅程度の間隔の平行な２本の切れ目を入れて各実施形態のケーブル配線用タイルカーペットを製造すると記載したが、大量に製造する工場においては、その非硬化型接着剤で上層部材と下層部材とを接着してなる広い面積のカーペットの裏面側を正方形の領域に区分けし、実施の形態で説明した切れ目をそれらの各正方形の領域にそれぞれ入れ、しかる後に該広面積のカーペットを前記正方形の領域ごとに切り分けることにより、より効率よくケーブル配線用タイルカーペットを製造することができる。
【００４９】
以上、本発明の好適な実施形態の構成を説明した。しかしながら、ここに挙げた第１から第３の実施形態のケーブル配線用タイルカーペット、その製造方法およびその配置構造は本発明をこれらに限定するものでないことは勿論であり、本発明の要旨を逸脱することなく、特定用途に応じて種々の変形変更が可能であることが、当業者には容易に理解できよう。
【００５０】
例えば、これら各実施の形態における各部の寸法、形、配置は本発明の範囲で多様な変形が可能である。また、本発明のケーブル配線用タイルカーペットは、平面形が正方形であるので、該正方形の上下の辺および左右の辺にそれぞれ平行であって該正方形の中心を通る第１の線（実施形態における線ＰＰ）及び第２の線（実施形態における線ＲＲ）、並びに該正方形の対角線に関し、線対称になる位置に溝の端が設けられるように一対の切れ目が下層部材に形成してあれば、単に碁盤目状に配置するだけで隣接するケーブル配線用タイルカーペット相互の溝端が当接する。したがって、上述の各実施形態における溝では、溝端の位置さえ上記の条件を満たしておれば、途中の形や幅は多様に変更することが可能である。
【符号の説明】
【００５１】
１，２，３    タイルカーペット
［１１１］，［１２１］，［１３１］，［１４１］，［２１１］，［２２１］，［２３１］，［２４１］，［３１１］，［３２１］，［３３１］，［３４１］，［４１１］，［４２１］，［４３１］，［４４１］    縦横各４枚ずつ並べて敷設されたタイルカーペット１のそれぞれ
［１１２］，［１２２］，［１３２］，［１４２］，［２１２］，［２２２］，［２３２］，［２４２］，［３１２］，［３２２］，［３３２］，［３４２］，［４１２］，［４２２］，［４３２］，［４４２］    縦横各４枚ずつ並べて敷設されたタイルカーペット２のそれぞれ
［１１３］，［１２３］，［１３３］，［１４３］，［２１３］，［２２３］，［２３３］，［２４３］，［３１３］，［３２３］，［３３３］，［３４３］，［４１３］，［４２３］，［４３３］，［４４３］    縦横各４枚ずつ並べて敷設されたタイルカーペット３のそれぞれ
１０    接着面
１１，１２，１３，１４    直線形溝
１３ｄ    直線形溝１３の側壁（下層部材Ｄの側面）
１３ｅ    直線形溝１３の側壁（下層部材Ｅの側面）
１５    円形溝
１６，１７，１８，１９    半円形溝
５１，５２，５３，５４，５５，５６，５７，５８，５９，６０，６１，６２，６３，６４    ＬＡＮケーブル等のケーブル
１１０，１２０，１３０，１４０    直線形溝埋め部材
１１１，１１２，１３１，１３２，１４１，１４２    直線切れ目
１５０    円形溝埋め部材
１５１    円形切れ目
１５２    部分円形切れ目
２０１ａ，２０１ｂ    タイルカーペット
２０２    表面パイル層
２０３    裏貼層
２０４    基布
２０５    パイル糸
２０６    接着樹脂層
２０６ａ    一次接着樹脂層
２０７    バックステッチ
２０８    二次接着樹脂層
Ａ，Ｂ，Ｃ，Ｄ，Ｅ，Ｆ，Ｇ，Ｈ，Ｉ，Ｊ１，Ｊ２，Ｊ３，Ｊ４    部分下層部材
Ｋ    上層部材
ｘ１ｉ，ｘ２ｉ，ｘ３ｉ，ｘ４ｉ，ｘ５ｉ，ｘ６ｉ，ｘ７ｉ，ｘ８ｉ    敷設されたタイルカーペットの手前側端縁における直線形溝の端（溝の出入口）
ｘ１ｏ，ｘ２ｏ，ｘ３ｏ，ｘ４ｏ，ｘ５ｏ，ｘ６ｏ，ｘ７ｏ，ｘ８ｏ    敷設されたタイルカーペットの奥側端縁における直線形溝の端（溝の出入口）
ｙ１ｉ，ｙ２ｉ，ｙ３ｉ，ｙ４ｉ，ｙ５ｉ，ｙ６ｉ，ｙ７ｉ，ｙ８ｉ    敷設されたタイルカーペットの左側端縁における直線形溝の端（溝の出入口）
ｙ１ｏ，ｙ２ｏ，ｙ３ｏ，ｙ４ｏ，ｙ５ｏ，ｙ６ｏ，ｙ７ｏ，ｙ８ｏ    敷設されたタイルカーペットの右側端縁における直線形溝の端（溝の出入口）
【図１】
0005996574.tif 000002
【図２】
0005996574.tif 000003
【図３】
0005996574.tif 000004
【図４】
0005996574.tif 000005
【図５】
0005996574.tif 000006
【図６】
0005996574.tif 000007
【図７】
0005996574.tif 000008
【図８】
0005996574.tif 000009
【図９】
0005996574.tif 000010
【図１０】
0005996574.tif 000011
【図１１】
0005996574.tif 000012
【図１２】
0005996574.tif 000013
【図１３】
0005996574.tif 000014
【図１４】
0005996574.tif 000015
【図１５】
0005996574.tif 000016
【図１６】
0005996574.tif 000017